(57)【要約】【課題】画像をより見えやすくすることが可能な画像処理装置及び画像処理方法の提供。【解決手段】画像処理装置は、複数セットのコントロールポイントを記憶するコントロールポイント記憶部１と、画像の平均輝度を計算する輝度平均値の算出部２と、計算した平均輝度値に基づいてコントロールポイントを選択するコントロールポイント選択部３と、選択したコントロールポイントを使用し、スプライン関数を用いて平滑な補正曲線を生成する輝度補正曲線生成部４と、生成した補正曲線を記憶するＬＵＴ記憶部５と、記憶した補正曲線を使って輝度信号を補正処理して出力する輝度補正処理部６とを備える。輝度補正曲線生成部４が生成する平滑な補正曲線が、指定した特定輝度値を通る。【選択図】図１
2008165516.tif 000002
【特許請求の範囲】
【請求項１】
表示内容に応じてデジタル画像の輝度信号を補正し、画像信号を処理する装置において、
複数セットのコントロールポイントを記憶するコントロールポイント記憶手段と、画像の平均輝度を計算する算出手段と、計算した平均輝度値に基づいてコントロールポイントを選択するコントロールポイント選択手段と、選択したコントロールポイントを使用し、スプライン関数を用いて平滑な補正曲線を生成する輝度補正曲線生成手段と、生成した補正曲線を記憶する補正曲線記憶手段と、記憶した補正曲線を使って輝度信号を補正処理して出力する輝度補正処理手段とを備え、前記輝度補正曲線生成手段が生成する平滑な補正曲線は、指定した特定輝度値を通ることを特徴とする画像処理装置。
【請求項２】
上記輝度補正処理手段は、前のフレームの輝度平均値に基づいて生成したルックアップテーブルを使用して輝度信号の補正処理を行う請求項１に記載の画像処理装置。
【請求項３】
上記輝度補正処理手段は、上記輝度補正曲線生成手段が平均輝度値に応じて輝度補正処理を切り替えて生成した補正曲線を使って輝度信号の補正処理を行う請求項１に記載の画像処理装置。
【請求項４】
上記輝度補正処理手段は、デジタル信号における画像の輝度平均値Ｙ０が下記の式（３ａ）を満たす場合、画像輝度の分布量が少ない輝度値最大値又は輝度値最小値に近い両端部分を圧縮し、画像輝度の分布量が多い中間部分を伸張する輝度補正を行い、また、Ｙ０が下記の式（３ｂ）を満たす場合、画像輝度の分布量が少ない中間部分を圧縮し、画像輝度の分布量が多い両端部分を伸張する輝度補正を行う請求項１に記載の画像処理装置。
【数１】
2008165516.tif 000011
上記の式（３ａ）（３ｂ）におけるＴ１は閾値を示す。
【請求項５】
上記輝度補正処理手段は、デジタル信号における画像の輝度平均値Ｙ０が下記の式（４ａ）を満たす場合、画像輝度の分布量が少ない輝度値最大値又は輝度値最小値に近い両端部分を圧縮し、画像輝度の分布量が多い中間部分を伸張する輝度補正を行い、また、Ｙ０が下記の式（４ｂ）を満たす場合、画像輝度の分布量が少ない中間部分と輝度値最大値に近い右側部分をそのままにして置き、画像輝度の分布量が多い輝度値最小値に近い左側部分を伸張する輝度補正を行い、さらに、Ｙ０が下記の式（４ｃ）を満たす場合は、画像輝度の分布量が少ない中間部分と左側部分をそのままにして置き、画像輝度の分布量が多い右側部分を伸張する輝度補正を行う請求項１に記載の画像処理装置。
【数２】
2008165516.tif 000012
上記の式（４ａ）（４ｂ）（４ｃ）におけるＴ２は閾値を示す。
【請求項６】
上記輝度補正処理手段は、指定した特定輝度値を別の特定輝度値に変換して出力する輝度信号の補正処理を行う請求項１に記載の画像処理装置。
【請求項７】
上記輝度補正処理手段は、上記の式（３ａ）（３ｂ）を用いた輝度補正を行う請求項６に記載の画像処理装置。
【請求項８】
複数セットのコントロールポイントを記憶することと、画像の平均輝度を計算することと、計算した平均輝度値に基づいてコントロールポイントを選択することと、選択したコントロールポイントを使用し、スプライン関数を用いて平滑な補正曲線を生成することと、生成した補正曲線を記憶することと、記憶した補正曲線を使って輝度信号を補正処理して出力することとを含み、前記平滑な補正曲線は、指定した特定輝度値を通ることを特徴とする画像処理方法。
【発明の詳細な説明】
【技術分野】
【０００１】
本発明は、液晶，ＰＤＰ（Ｐｌａｓｍａ  Ｄｉｓｐｌａｙ  Ｐａｎｅｌ）などのマトリックス型パネルに表示するデジタル画像処理技術において、指定輝度（例えば、肌色の輝度）を維持しながら、輝度補正を行う画像処理装置及び画像処理方法に関するものである。
【背景技術】
【０００２】
表示内容に応じて画像の輝度信号をそのままで表示することでなく、白黒レベルを伸張し、ダイナミックレンジを強調してからパネルに表示することにより、画像はより鮮明に見える。
【０００３】
従来、特許文献１では、画像の平均輝度とその標準偏差を使って、５つの変曲点を求めることが提案されている。
【０００４】
求めた変曲点Ａ、Ｂ、Ｃ、Ｄ、Ｅ及び原点Ｏ（０，０）とＱ（１０２３，１０２３）を直線で繋げる。
出来上がった折れ線ＯＡＢＣＤＥＱは、輝度変換関数となる。
詳細は、図７に示されている。
【０００５】
ここで、図７の横座標は、変換前の入力輝度値であり、図７の縦座標は、変換後の出力輝度値である。
変換前後の輝度値は、１０ビット（０−１０２３）のデジタル信号である。
【０００６】
図７の点線ＯＱは、輝度変換を行わないことを示す。
即ち、出力信号は、入力信号と同じである。
【０００７】
図７に示されたように、例えば、変曲点Ａが輝度の最小値としたら、変曲点Ａをより０値に近づけることは、黒レベル伸張と呼ぶ。
【０００８】
また、変曲点Ｅが輝度の最大値としたら、変曲点Ｅをより１０２３値に近づけることは、白レベル伸張と呼ぶ。
【０００９】
図７において、白黒レベル伸張に合わせて、全ての輝度値に対して処理を施す。
図７に示す折れ線ＯＡＢＣ部分は、入力信号より小さくなり、図７に示す折れ線ＣＤＥＱ部分は、入力信号より大きくなる。
従って、画像のダイナミックレンジは大きくなる。
そして、画像はより鮮明に見える。
【００１０】
また、特許文献２には、４点のコントロールポイントＰ０，Ｐ１，Ｐ２，Ｐ３を用いてスプライン関数で補正曲線を生成して平滑な補正を行う手法が開示されている。
【特許文献１】特開２００３−２５９１５４号公報
【特許文献２】特開２００６−２９５５９５号公報
【発明の開示】
【発明が解決しようとする課題】
【００１１】
ところが、特許文献１の従来技術では、図７に示すように、変曲点を直線で繋げるだけであるため、輝度の出力は平滑性を失ってしまう。
輝度信号には不連続変化が生じ、後続のエッジ強調やサイズ拡大操作などの画像処理部分に悪い影響を与えて、画質が衰える。
【００１２】
また、特許文献２の従来技術では、図８に示すように、輝度補正は平滑的に行われるが、Ｐ０とＰ３の以外に指定点を通すことができない問題点がある。
【００１３】
人間の目は、肌色の輝度を記憶しており、輝度補正の際に、肌色の輝度を保つことが望ましい。
これは、補正曲線を指定点に通すことによって、解決する必要がある。
【００１４】
特許文献１の不自然さの問題は、スプライン関数を用いて、平滑な補正曲線を生成することによって解決できる。
【００１５】
また、指定点通過の問題は、指定点を分岐点として、補正曲線を２段分けて生成することで、解決できる。
【００１６】
特許文献２について、以下に詳細説明する。
ｎ点のコントロールポイントＰｉ（ｉ＝０，１，ｎ−１）に対して、次式（１）でその近似曲線を求めることができる。
【数３】
2008165516.tif 000003
ここで、ｎはコントロールポイントの数で、Ｐｉ＝｛ｕｉ，ｖｉ｝はコントロールポイントである。
ｔは範囲が０−１である正規化入力変数であり、輝度値最大値の１０２３に対して、ｔの離散間隔（増分）は１０２４分の１である。
この時、｛ｘｔ，ｙｔ｝は１０２４個の出力になる。
【００１７】
演算量を抑えるために、コントロールポイントの数を制限する。
平滑な曲線を作るには、最低４つのコントロールポイントが必要である。
この時のスプライン関数は、ｔの３次関数となる。
【００１８】
ｎ＝４を式（１）に代入して式（２）が得られる。
【数４】
2008165516.tif 000004
【００１９】
図８には、４つのコントロールポイントＰ０，Ｐ１，Ｐ２，Ｐ３に基づき、式（２）で生成した曲線が示されている。
【００２０】
ｔ＝０の時に、式（２）から｛ｘｔ，ｙｔ｝＝｛ｕ０，ｖ０｝が解る。
ここで、Ｐ０＝｛ｕ０，ｖ０｝である。
【００２１】
ｔ＝１の時に、式（２）から｛ｘｔ，ｙｔ｝＝｛ｕ３，ｖ３｝が解る。
ここで、Ｐ３＝｛ｕ３，ｖ３｝である。
【００２２】
従って、式（２）で生成した曲線は、両端にあるコントロールポイントを通過する。
両端以外のコントロールポイントについては、生成した曲線がこれらのコントロールポイントを通らない。
【００２３】
両端以外のコントロールポイントは、曲線を生成する時に、その形（凹凸具合）を制御する役割を果たす。
【００２４】
図８に示すＯＰ０Ｐ３Ｑは、生成した補正曲線である。
勿論、コントロールポイントＰ０をＯにすることや、コントロールポイントＰ３をＱにすることは自由である。
【００２５】
そこで、本発明は、上記の事情に鑑みてなされたものであって、選択したコントロールポイントを使用し、スプライン関数を用いて平滑な補正曲線を生成して、生成する平滑な補正曲線を指定した特定輝度値を通すことで、特定の輝度を維持する補正曲線を得ることができ、特定の輝度を維持しながら輝度補正を行い、映像の内容に応じて異なる輝度補正方法を適用することで、画像をより見えやすくすることが可能な画像処理装置及び画像処理方法を提供することを目的とする。
【課題を解決するための手段】
【００２６】
前記従来技術の課題を解決するために、本発明の画像処理装置は、表示内容に応じてデジタル画像の輝度信号を補正し、画像信号を処理する装置において、複数セットのコントロールポイントを記憶するコントロールポイント記憶手段と、画像の平均輝度を計算する算出手段と、計算した平均輝度値に基づいてコントロールポイントを選択するコントロールポイント選択手段と、選択したコントロールポイントを使用し、スプライン関数を用いて平滑な補正曲線を生成する輝度補正曲線生成手段と、生成した補正曲線を記憶する補正曲線記憶手段と、記憶した補正曲線を使って輝度信号を補正処理して出力する輝度補正処理手段とを備え、前記輝度補正曲線生成手段が生成する平滑な補正曲線が、指定した特定輝度値を通ることを特徴とする構成を有するものである。
【００２７】
本発明の画像処理装置は、上記輝度補正処理手段が、前のフレームの輝度平均値に基づいて生成したルックアップテーブルを使用して輝度信号の補正処理を行うようになっている。
【００２８】
本発明の画像処理装置は、上記輝度補正処理手段が、上記輝度補正曲線生成手段が平均輝度値に応じて輝度補正処理を切り替えて生成した補正曲線を使って輝度信号の補正処理を行うようになっている。
【００２９】
本発明の画像処理装置は、上記輝度補正処理手段が、デジタル信号における画像の輝度平均値Ｙ０が下記の式（３ａ）を満たす場合、画像輝度の分布量が少ない輝度値最大値又は輝度値最小値に近い両端部分を圧縮し、画像輝度の分布量が多い中間部分を伸張する輝度補正を行い、また、Ｙ０が下記の式（３ｂ）を満たす場合、画像輝度の分布量が少ない中間部分を圧縮し、画像輝度の分布量が多い両端部分を伸張する輝度補正を行うようになっている。
【数１】
2008165516.tif 000005
上記の式（３ａ）（３ｂ）におけるＴ１は閾値を示す。
【００３０】
本発明の画像処理装置は、上記輝度補正処理手段が、デジタル信号における画像の輝度平均値Ｙ０が下記の式（４ａ）を満たす場合、画像輝度の分布量が少ない輝度値最大値又は輝度値最小値に近い両端部分を圧縮し、画像輝度の分布量が多い中間部分を伸張する輝度補正を行い、また、Ｙ０が下記の式（４ｂ）を満たす場合、画像輝度の分布量が少ない中間部分と輝度値最大値に近い右側部分をそのままにして置き、画像輝度の分布量が多い輝度値最小値に近い左側部分を伸張する輝度補正を行い、さらに、Ｙ０が下記の式（４ｃ）を満たす場合は、画像輝度の分布量が少ない中間部分と左側部分をそのままにして置き、画像輝度の分布量が多い右側部分を伸張する輝度補正を行うようになっている。
【数２】
2008165516.tif 000006
上記の式（４ａ）（４ｂ）（４ｃ）におけるＴ２は閾値を示す。
【００３１】
本発明の画像処理装置は、上記輝度補正処理手段が、指定した特定輝度値を別の特定輝度値に変換して出力する輝度信号の補正処理を行うようになっている。
【００３２】
本発明の画像処理装置は、上記輝度補正処理手段が、上記の式（３ａ）（３ｂ）を用いた輝度補正を行うようになっている。
【００３３】
本発明の画像処理方法は、複数セットのコントロールポイントを記憶することと、画像の平均輝度を計算することと、計算した平均輝度値に基づいてコントロールポイントを選択することと、選択したコントロールポイントを使用し、スプライン関数を用いて平滑な補正曲線を生成することと、生成した補正曲線を記憶することと、記憶した補正曲線を使って輝度信号を補正処理して出力することとを含み、前記平滑な補正曲線が、指定した特定輝度値を通ることを特徴とするものである。
【発明の効果】
【００３４】
以上に説明したように、本発明によれば、選択したコントロールポイントを使用し、スプライン関数を用いて平滑な補正曲線を生成して、生成する平滑な補正曲線を指定した特定輝度値を通すことで、特定の輝度を維持する補正曲線を得ることができ、特定の輝度を維持しながら輝度補正を行い、映像の内容に応じて異なる輝度補正方法を適用することで、画像をより見えやすくすることが可能な画像処理装置及び画像処理方法を得ることができる。
【発明を実施するための最良の形態】
【００３５】
以下、本発明を実施するための最良の形態の画像処理装置について、図面に基づき詳細に説明する。
【実施例】
【００３６】
本発明の画像処理装置は、表示内容に応じてデジタル画像の輝度信号を補正し、画像信号を処理する装置である。
【００３７】
本発明の画像処理装置は、複数セットのコントロールポイントを記憶するコントロールポイント記憶手段であるコントロールポイント記憶部１と、画像の平均輝度を計算する算出手段である輝度平均値の算出部２と、計算した平均輝度値に基づいてコントロールポイントを選択するコントロールポイント選択手段であるコントロールポイント選択部３と、選択したコントロールポイントを使用し、スプライン関数を用いて平滑な補正曲線を生成する輝度補正曲線生成手段である輝度補正曲線生成部４と、生成した補正曲線を記憶する補正曲線記憶手段であるＬＵＴ（Ｌｏｏｋ  Ｕｐ  Ｔａｂｌｅ；ルックアップテーブル）記憶部５と、記憶した補正曲線を使って輝度信号を補正処理して出力する輝度補正処理手段である輝度補正処理部６とを備えている。
【００３８】
本発明の画像処理装置は、輝度補正曲線生成部４が生成する平滑な補正曲線が、指定した特定輝度値を通るようになっている。
【００３９】
本発明の画像処理装置は、輝度補正処理部６が、前のフレームの輝度平均値に基づいて生成したＬＵＴを使用して輝度信号の補正処理を行うようになっている。
【００４０】
本発明の画像処理装置は、輝度補正処理部６が、輝度補正曲線生成部４が平均輝度値に応じて輝度補正処理を切り替えて生成した補正曲線を使って輝度信号の補正処理を行うようになっている。
【００４１】
本発明の画像処理装置は、輝度補正処理部６が、デジタル信号における画像の輝度平均値Ｙ０が下記の式（３ａ）を満たす場合、画像輝度の分布量が少ない輝度値最大値又は輝度値最小値に近い両端部分を圧縮し、画像輝度の分布量が多い中間部分を伸張する輝度補正を行い、また、Ｙ０が下記の式（３ｂ）を満たす場合、画像輝度の分布量が少ない中間部分を圧縮し、画像輝度の分布量が多い両端部分を伸張する輝度補正を行うようになっている。
【数１】
2008165516.tif 000007
上記の式（３ａ）（３ｂ）におけるＴ１は閾値を示す。
【００４２】
本発明の画像処理装置は、輝度補正処理部６が、デジタル信号における画像の輝度平均値Ｙ０が下記の式（４ａ）を満たす場合、画像輝度の分布量が少ない輝度値最大値又は輝度値最小値に近い両端部分を圧縮し、画像輝度の分布量が多い中間部分を伸張する輝度補正を行い、また、Ｙ０が下記の式（４ｂ）を満たす場合、画像輝度の分布量が少ない中間部分と輝度値最大値に近い右側部分をそのままにして置き、画像輝度の分布量が多い輝度値最小値に近い左側部分を伸張する輝度補正を行い、さらに、Ｙ０が下記の式（４ｃ）を満たす場合は、画像輝度の分布量が少ない中間部分と左側部分をそのままにして置き、画像輝度の分布量が多い右側部分を伸張する輝度補正を行うようになっている。
【数２】
2008165516.tif 000008
上記の式（４ａ）（４ｂ）（４ｃ）におけるＴ２は閾値を示す。
【００４３】
本発明の画像処理装置は、輝度補正処理部６が、指定した特定輝度値を別の特定輝度値に変換して出力する輝度信号の補正処理を行うようになっている。
【００４４】
本発明の画像処理装置は、輝度補正処理部６が、上記の式（３ａ）（３ｂ）を用いた輝度補正を行うようになっている。
【００４５】
本発明の画像処理方法は、複数セットのコントロールポイントを記憶することと、画像の平均輝度を計算することと、計算した平均輝度値に基づいてコントロールポイントを選択することと、選択したコントロールポイントを使用し、スプライン関数を用いて平滑な補正曲線を生成することと、生成した補正曲線を記憶することと、記憶した補正曲線を使って輝度信号を補正処理して出力することとを含んでいる。
【００４６】
本発明の画像処理方法は、平滑な補正曲線が、指定した特定輝度値を通るようになっている。
【００４７】
以下、本発明の実施例を図面に基づいて詳細に説明する。
図１は、本発明の実施例に係る画像処理装置の構成を示すブロック図である。
画像処理装置は、図１に示すように、コントロールポイント記憶部１と、輝度平均値の算出部２と、コントロールポイント選択部３と、輝度補正曲線生成部４と、ＬＵＴ記憶部５と、輝度補正処理部６とから構成されている。
【００４８】
コントロールポイント記憶部１は、複数セットのコントロールポイント（Ｐ１０Ｐ１１Ｐ１２、ＰＳ、Ｐ２１Ｐ２２Ｐ２３）を記憶するメモリである。
【００４９】
輝度平均値の算出部２は、画像の平均輝度を計算する。
【００５０】
コントロールポイント選択部３は、計算した平均輝度値に基づき、コントロールポイントを選択する。
【００５１】
輝度補正曲線生成部４は、選択したコントロールポイントを使用し、スプライン関数を用いて平滑な補正曲線を生成する。
【００５２】
輝度補正曲線生成部４が生成する平滑な補正曲線は、指定した特定輝度値を通る。
【００５３】
ＬＵＴ記憶部５は、生成した補正曲線を記憶する。
【００５４】
輝度補正処理部６は、ＬＵＴを使って、入力輝度信号Ｙｉｎを補正して、輝度信号Ｙｏｕｔとして出力する。
【００５５】
画像テレビの場合は、メモリを節約したり、遅延時間を無くすために、現在フレーム画像を処理する際に、前のフレームの輝度平均値に基づいて生成したＬＵＴを使用する。
更新制御信号は、計算した補正曲線をＬＵＴ記憶部５に書くタイミングを指示する。
フレームとフレームの間のブランキング期間（画像データの無い時間）を更新期間として使うことが多い。
【００５６】
ここで、１０ビットの輝度信号を一例として、画像平均値とコントロールポイントの関係を説明する。
１０ビットの表示範囲は０−１０２３で、表示できる輝度の中心値は５１２となる。
【００５７】
以下、輝度補正処理について、３つの実施例を述べる。
実施例１：図２と図３
Ｙ０を１０ビットのデジタル信号における画像の輝度平均値と記し、Ｔ１を閾値と記して、式（３ａ）と式（３ｂ）を書く。
【数１】
2008165516.tif 000009
【００５８】
１０ビットのデジタル信号における画像の輝度平均値Ｙ０が式（３ａ）を満たす場合は、平均輝度値は中心値５１２との差が小さく、画像輝度の分布は中心値５１２の辺りに多く、両端（０と５１２）の辺りに少なく存在することを示す。
【００５９】
このときに、画像輝度の分布量が少ない輝度値最大値又は輝度値最小値に近い両端部分を圧縮して、画像輝度の分布量が多い中間部分を伸張する輝度補正を行うような補正方策を取るべきである。
【００６０】
また、コントロールポイント選択部３は、図２に示すように、コントロールポイントＰ１０Ｐ１１Ｐ１２ＰＳＰ２１Ｐ２２Ｐ２３を選択して、補正曲線ＯＰ１０ＰＳＰ２３Ｑを生成することで、当該方策を実現する。
補正曲線生成を２回使う。
【００６１】
以下、図２を使って、指定点を通す補正曲線の生成方法を説明する。
ＰＳを指定点とする。
【００６２】
ＰＳを分岐点にして、平滑な補正曲線を２段に分けて生成する。
１段目は、コントロールポイントＰ１０Ｐ１１Ｐ１２ＰＳを使って補正曲線を生成し、２段目は、コントロールポイントＰＳＰ２１Ｐ２２Ｐ２３を使って補正曲線を生成する。
【００６３】
ＰＳは１段目の終点で、１段目の曲線は指定点ＰＳを通過する。
【００６４】
また、ＰＳは２段目の起点で、２段目の曲線も指定点ＰＳを通過する。
【００６５】
これで、最終の補正曲線は、図２に示すようなＯＰ１０ＰＳＰ２３Ｑで、指定点ＰＳを通す。
【００６６】
肌色の輝度をＰＳに指定すれば、肌色の輝度を維持する補正曲線が得られる。
【００６７】
逆に、１０ビットのデジタル信号における画像の輝度平均値Ｙ０が式（３ｂ）を満たす場合は、平均輝度値は中心値５１２との差が大きく、画像輝度の分布は中心値５１２の辺りに少なく、両端（０と５１２）の辺りに多く存在することを示す。
【００６８】
このときに、画像輝度の分布量が少ない中間部分を圧縮して、画像輝度の分布量が多い輝度値最大値又は輝度値最小値に近い両端部分を伸張する輝度補正を行うような補正方策を取るべきである。
【００６９】
また、コントロールポイント選択部３は、図３に示すように、コントロールポイントＰ１０Ｐ１１Ｐ１２ＰＳＰ２１Ｐ２２Ｐ２３を選択して、補正曲線ＯＰ１０ＰＳＰ２３Ｑを生成することで、当該方策を実現する。
補正曲線生成を２回使う。
【００７０】
実施例２：図２と図４と図５
Ｙ０を１０ビットのデジタル信号における画像の輝度平均値と記し、Ｔ２を閾値と記して、式（４ａ），（４ｂ）と式（４ｃ）を書く。
【数２】
2008165516.tif 000010
【００７１】
１０ビットのデジタル信号における画像の輝度平均値Ｙ０が式（４ａ）を満たす場合は、平均輝度値は中心値５１２との差が小さく、画像輝度の分布は中心値５１２の辺りに多く、両端（０と５１２）の辺りに少なく存在することを示す。
【００７２】
このときに、画像輝度の分布量が少ない輝度値最大値又は輝度値最小値に近い両端部分を圧縮して、画像輝度の分布量が多い中間部分を伸張する輝度補正を行うような補正方策を取るべきである。
【００７３】
また、コントロールポイント選択部３は、図２に示すように、コントロールポイントＰ１０Ｐ１１Ｐ１２ＰＳＰ２１Ｐ２２Ｐ２３を選択して、補正曲線ＯＰ１０ＰＳＰ２３Ｑを生成することで、当該方策を実現する。
補正曲線生成を２回使う。
【００７４】
また、１０ビットのデジタル信号における画像の輝度平均値Ｙ０が式（４ｂ）を満たす場合は、平均輝度値は小さく、画像輝度の分布は輝度値最小値に近い左側部分に集中して、中間部分と輝度値最大値に近い右側部分に少なく存在することを示す。
【００７５】
このときに、画像輝度の分布量が少ない中間部分と輝度値最大値に近い右側部分をそのままして置いて、画像輝度の分布量が多い輝度値最小値に近い左側部分を伸張する輝度補正を行うような補正方策を取ることができる。
【００７６】
また、コントロールポイント選択部３は、図４に示すように、コントロールポイントＰ１０Ｐ１１Ｐ１２ＰＳを選択して、補正曲線ＯＰ１０ＰＳＱを生成することで、当該方策を実現する。
補正曲線生成を１回だけ使う。
【００７７】
さらに、１０ビットのデジタル信号における画像の輝度平均値Ｙ０が式（４ｃ）を満たす場合は、平均輝度値は大きく、画像輝度の分布は輝度値最大値に近い右側部分に集中して、中間部分と輝度値最小値に近い左側部分に少なく存在することを示す。
【００７８】
このときに、画像輝度の分布量が少ない中間部分と左側部分をそのままして置いて、画像輝度の分布量が多い右側部分を伸張する輝度補正を行うような補正方策を取ることができる。
【００７９】
また、コントロールポイント選択部３は、図５に示すように、コントロールポイントＰＳＰ２１Ｐ２２Ｐ２３を選択して、補正曲線ＯＰＳＰ２３Ｑを生成することで、当該方策を実現する。
補正曲線生成を１回だけ使う。
【００８０】
実施例３：図６
実施例１では、指定した特定輝度値（肌色の輝度値）は、補正前後変わらないように実現している。
このときに、ＰＳ＝｛ｕＳ，ｖＳ｝の中で、ｕＳ＝ｖＳである。
【００８１】
しかし、図６に示すように、指定した特定輝度値（例えば、肌色の輝度値）をある別の特定輝度値に変換して出力することが考えられる。
ＰＳ＝｛ｕＳ，ｖＳ｝の中で、ｕＳ≠ｖＳである。
【００８２】
実施例３では、実施例１と同じように、輝度補正を行うことができる。
１０ビットのデジタル信号における画像の輝度平均値Ｙ０が式（３ａ）を満たす場合は、平均輝度値は中心値５１２との差が小さく、画像輝度の分布は中心値５１２の辺りに多く、両端（０と５１２）の辺りに少なく存在することを示す。
【００８３】
このときに、画像輝度の分布量が少ない輝度値最大値又は輝度値最小値に近い両端部分を圧縮して、画像輝度の分布量が多い中間部分を伸張する輝度補正を行うような補正方策を取るべきである。
【００８４】
また、コントロールポイント選択部３は、図６に示すように、コントロールポイントＰ１０Ｐ１１Ｐ１２ＰＳＰ２１Ｐ２２Ｐ２３を選択して、補正曲線ＯＰ１０ＰＳＰ２３Ｑを生成することで、当該方策を実現する。
補正曲線生成を２回使う。
【００８５】
逆に、１０ビットのデジタル信号における画像の輝度平均値Ｙ０が式（３ｂ）を満たす場合は、平均輝度値は中心値５１２との差が大きく、画像輝度の分布は中心値５１２の辺りに少なく、両端（０と５１２）の辺りに多く存在することを示す。
【００８６】
このときに、画像輝度の分布量が少ない中間部分を圧縮して、画像輝度の分布量が多い輝度値最大値又は輝度値最小値に近い両端部分を伸張する輝度補正を行うような補正方策を取るべきである。
【００８７】
また、コントロールポイント選択部３は、対応するコントロールポイントを選択して、補正曲線を生成することで、当該方策を実現する。
補正曲線生成を２回使う。
ここで、図は省略する。
【００８８】
以上実施例で説明したように、本発明によれば、選択したコントロールポイントを使用し、スプライン関数を用いて平滑な補正曲線を２段に分けて生成して、指定点を通すことで、輝度補正曲線を得ることができる。
また、特定の輝度を維持しながら、映像の内容に応じて異なる輝度補正方法を適用することで、画像がより見えやすくなる。
【図面の簡単な説明】
【００８９】
【図１】本発明の実施例に係る画像処理装置の構成を示すブロック図。
【図２】本発明の実施例１の特定輝度維持の輝度補正曲線生成技術における輝度補正曲線の一例を示す図。
【図３】本発明の実施例１の特定輝度維持の輝度補正曲線生成技術における輝度補正曲線の別の一例を示す図。
【図４】本発明の実施例２の特定輝度維持の輝度補正曲線生成技術における輝度補正曲線の一例を示す図。
【図５】本発明の実施例２の特定輝度維持の輝度補正曲線生成技術における輝度補正曲線の別の一例を示す図。
【図６】本発明の実施例３の特定輝度維持の輝度補正曲線生成技術における輝度補正曲線の一例を示す図。
【図７】従来の技術における輝度変換関数を示す図。
【図８】従来の技術における輝度補正曲線を示す図。
【符号の説明】
【００９０】
１  コントロールポイント記憶部（コントロールポイント記憶手段）
２  輝度平均値の算出部（算出手段）
３  コントロールポイント選択部（コントロールポイント選択手段）
４  輝度補正曲線生成部（輝度補正曲線生成手段）
５  ＬＵＴ記憶部（補正曲線記憶手段）
６  輝度補正処理部（輝度補正処理手段）
【図１】
2008165516.tif 000013
【図２】
2008165516.tif 000014
【図３】
2008165516.tif 000015
【図４】
2008165516.tif 000016
【図５】
2008165516.tif 000017
【図６】
2008165516.tif 000018
【図７】
2008165516.tif 000019
【図８】
2008165516.tif 000020